(57)【特許請求の範囲】
【請求項１】
有線ＬＡＮおよび無線ＬＡＮ間を中継する中継装置であって、
前記有線ＬＡＮに接続されているＩＰホスト端末のＭＡＣアドレスとＩＰアドレスとを対応付けて記憶するホストアドレス記憶手段、および前記有線ＬＡＮに接続されているＩＰルータのＭＡＣアドレスとＩＰアドレスとを対応付けて記憶するルータアドレス記憶手段を有するアドレス記憶手段と、
前記有線ＬＡＮから受信したフレームの送信元ＭＡＣアドレスを、自中継装置のＭＡＣアドレスに変換して、当該フレームを前記無線ＬＡＮに中継する上り中継手段と、
前記無線ＬＡＮから受信したフレームの宛先ＩＰアドレスに対応付けられて前記ホストアドレス記憶手段にＭＡＣアドレスが記憶されている場合に、当該フレームの宛先ＭＡＣアドレスを、当該フレームの宛先ＩＰアドレスに対応付けられて前記ホストアドレス記憶手段に記憶されているＭＡＣアドレスに変換し、記憶されていない場合に、当該フレームの宛先ＭＡＣアドレスを、前記ルータアドレス記憶手段に記憶されているＭＡＣアドレスに変換して、当該フレームを前記有線ＬＡＮに中継する下り中継手段と、
ルータ通知メッセージを含むＩＰｖ６パケットを格納したフレームを前記有線ＬＡＮから受信した場合に、当該ルータ通知メッセージで指定されているソースリンクレイヤアドレスを、当該ＩＰｖ６パケットの送信元アドレスに対応付けて前記ルータアドレス記憶手段に登録するルータアドレス登録手段と、を有し、
前記上り中継手段は、
前記ルータ通知メッセージを含むＩＰｖ６パケットを格納したフレームを前記有線ＬＡＮから受信した場合に、当該ルータ通知メッセージで指定されているソースリンクレイヤアドレスを、自中継装置のＭＡＣアドレスに変換する
ことを特徴とする中継装置。
【請求項２】
請求項１に記載の中継装置であって、
ターゲットリンクレイヤアドレスが指定されたリダイレクトメッセージを含むＩＰｖ６パケットを格納したフレームを前記有線ＬＡＮから受信した場合に、当該ターゲットリンクレイヤアドレスを、当該リダイレクトメッセージで指定されている宛先ＩＰアドレスに対応付けて前記ホストアドレス記憶手段に登録するリダイレクトアドレス登録手段をさらに有し、
前記上り中継手段は、
前記ターゲットリンクレイヤアドレスが指定されたリダイレクトメッセージを含むＩＰｖ６パケットを格納したフレームを前記有線ＬＡＮから受信した場合に、当該リダイレクトメッセージから当該ターゲットリンクレイヤアドレスを削除し、
前記下り中継手段は、
ターゲットリンクレイヤアドレスが指定されたリダイレクトメッセージを含むＩＰｖ６パケットを格納したフレームを前記無線ＬＡＮから受信した場合に、当該ターゲットリンクレイヤアドレスが自中継装置のＭＡＣアドレスであるならば、当該リダイレクトメッセージから当該ターゲットリンクレイヤアドレスを削除する
ことを特徴とする中継装置。
【請求項３】
有線ＬＡＮおよび無線ＬＡＮ間を中継する中継装置であって、
前記有線ＬＡＮに接続されているＩＰホスト端末のＭＡＣアドレスとＩＰアドレスとを対応付けて記憶するホストアドレス記憶手段、および前記有線ＬＡＮに接続されているＩＰルータのＭＡＣアドレスとＩＰアドレスとを対応付けて記憶するルータアドレス記憶手段を有するアドレス記憶手段と、
前記有線ＬＡＮから受信したフレームの送信元ＭＡＣアドレスを、自中継装置のＭＡＣアドレスに変換して、当該フレームを前記無線ＬＡＮに中継する上り中継手段と、
前記無線ＬＡＮから受信したフレームの宛先ＩＰアドレスに対応付けられて前記ホストアドレス記憶手段にＭＡＣアドレスが記憶されている場合に、当該フレームの宛先ＭＡＣアドレスを、当該フレームの宛先ＩＰアドレスに対応付けられて前記ホストアドレス記憶手段に記憶されているＭＡＣアドレスに変換し、記憶されていない場合に、当該フレームの宛先ＭＡＣアドレスを、前記ルータアドレス記憶手段に記憶されているＭＡＣアドレスに変換して、当該フレームを前記有線ＬＡＮに中継する下り中継手段と、
ルータ通知メッセージを含むＩＰｖ４パケットを格納したフレームを前記有線ＬＡＮから受信した場合に、当該フレームの送信元ＭＡＣアドレスを、当該ルータ通知メッセージで指定されているルータアドレスに対応付けて前記ルータアドレス記憶手段に登録するルータアドレス登録手段と、を有する
ことを特徴とする中継装置。
【請求項４】
請求項３に記載の中継装置であって、
リダイレクトメッセージを含むＩＰｖ４パケットを格納したフレームを前記有線ＬＡＮから受信した場合に、ＡＲＰにより当該ＩＰｖ４パケットの宛先ＩＰアドレスに対応するＭＡＣアドレスを取得し、取得したＭＡＣアドレスを、当該ＩＰｖ４パケットの宛先ＩＰアドレスに対応付けて前記ホストアドレス記憶手段に登録するリダイレクトアドレス登録手段をさらに有する
ことを特徴とする中継装置。
【請求項５】
請求項１ないし４のいずれか一項に記載の中継装置であって、
前記有線ＬＡＮから受信したフレームに格納されているＩＰパケットの送信元ＩＰアドレス毎に、当該フレームの送信元ＭＡＣアドレスを、当該送信元ＩＰアドレスに対応付けて前記ホストアドレス記憶手段に登録するホストアドレス登録手段をさらに有する
ことを特徴とする中継装置。
【発明の詳細な説明】
【技術分野】
【０００１】
本発明は、有線ＬＡＮおよび無線ＬＡＮ間の中継技術に関する。
【背景技術】
【０００２】
特許文献１には、有線ＬＡＮおよび無線ＬＡＮと通信を行うネットワークシステムにおいて、アクセスポイントで適切にルーティングを行うことにより、ネットワークに過大な負荷をかけないようにする技術が開示されている。この技術では、有線ＬＡＮおよび無線ＬＡＮに接続される第一の中継器（アクセスポイント）と、無線ＬＡＮ内のデータを中継する第二の中継器と、第一の中継器に無線で接続される第一の端末と、第二の中継器に無線で接続される第二の端末とを備えるネットワークシステムにおいて、第一の中継器が、第二の端末のアドレス、第二の端末が属するグループの識別子、および第二の中継器の識別子を対応付けた第一の情報と、有線ＬＡＮを仮想的に区分したグループの識別子、および第二の端末が属するグループの識別子を対応付けた第二の情報とを保持し、第一または第二の情報に基づいて、パケットを送信する。
【特許文献１】特開２００７−１９４７６３号公報
【発明の開示】
【発明が解決しようとする課題】
【０００３】
ところで、ＷＤＳ（Ｗｉｒｅｌｅｓｓ  Ｄｉｓｔｒｉｂｕｔｉｏｎ  Ｓｙｓｔｅｍ）をサポートしていない無線ＬＡＮアクセスポイントと、この無線ＬＡＮアクセスポイントにステーションモードで接続する無線ＬＡＮコンバータとにより、２つの有線ネットワークを接続して一つの有線／無線ネットワークにするネットワークシステムが知られている。このようなネットワークシステムにおいて、無線ＬＡＮコンバータ側の有線ネットワークにルータが存在する場合、有線／無線ネットワーク内におけるＩＰホストの位置関係によっては、ＩＰホスト間の通信が正常に行えない場合がある。
【０００４】
図１１は、従来のＩＰｖ６（Ｉｎｔｅｒｎｅｔ  Ｐｒｏｔｏｃｏｌ  Ｖｅｒｓｉｏｎ
６）ネットワークシステムの一例を示す図である。図１１において、有線ネットワーク９Ａおよび有線ネットワーク９Ｂは、一つの有線／無線ネットワーク１０を形成している。
【０００５】
有線ネットワーク９Ａは、ＷＤＳをサポートしていない無線ＬＡＮアクセスポイント３と、ＬＡＮ７Ａを介して無線ＬＡＮアクセスポイント３に接続するＩＰｖ６ホスト５Ａと、を有する有線コリジョンドメインである。また、有線ネットワーク９Ｂは、無線ＬＡＮアクセスポイント３にステーションモードで接続する無線ＬＡＮコンバータ８と、ＬＡＮ７Ｂ１を介して無線ＬＡＮコンバータ８に接続するＩＰｖ６ルータ６Ｂ１と、ＬＡＮ７Ｂ２を介してＩＰｖ６ルータ６Ｂ１に接続するＩＰｖ６ホスト５Ｂ１と、を有する。さらに、有線ネットワーク９Ｂは、ＬＡＮ７Ｂ１およびＬＡＮ７Ｂ２の２つの有線コリジョンドメインから構成される。
【０００６】
ここで、有線ネットワーク９Ａに属するＩＰｖ６ホスト５Ａが、有線ネットワーク９Ｂに属するＩＰｖ６ホスト５Ｂ１と通信を行う場合を考える。図１２は、図１１に示すＩＰｖ６ネットワークシステムにおいて、ＩＰｖ６ホスト５Ａ、５Ｂ１間の通信が正常に行えない場合を説明するためのシーケンス図である。
【０００７】
先ず、ＩＰｖ６ホスト５Ａは、有線／無線ネットワーク１０に属するＩＰｖ６ルータを検索するために、ルータ要請（Ｒｏｕｔｅｒ  Ｓｏｌｉｃｉｔａｔｉｏｎ）メッセージをマルチキャスト送信する。このルータ要請メッセージのソースリンクレイヤアドレス（ＳＬＬＡ：Ｓｏｕｒｃｅ  Ｌｉｎｋ  Ｌａｙｅｒ  Ａｄｄｒｅｓｓ）にはＩＰｖ６ホスト５ＡのＭＡＣアドレスが設定され、このルータ要請メッセージを格納するＩＰｖ６パケットの送信元ＩＰアドレス（Ｓ−Ｉ）、宛先ＩＰアドレス（Ｄ−Ｉ）には、それぞれＩＰｖ６ホスト５ＡのＩＰアドレス、マルチキャストアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５ＡのＭＡＣアドレス、マルチキャストアドレスが設定される。
【０００８】
このＭＡＣフレームは、無線ＬＡＮアクセスポイント３および無線ＬＡＮコンバータ８を経由して、ＩＰｖ６ルータ６Ｂ１に到達する（Ｓ９０１〜Ｓ９０３）。
【０００９】
次に、ＩＰｖ６ルータ６Ｂ１は、ルータ要請メッセージを受信すると、これに対する応答として、ルータ通知（Ｒｏｕｔｅｒ  Ａｄｖｅｒｔｉｓｅｍｅｎｔ）メッセージをマルチキャスト送信する。このルータ通知メッセージのソースリンクレイヤアドレス（ＳＬＬＡ）にはＩＰｖ６ルータ６Ｂ１のＭＡＣアドレスが設定され、このルータ通知メッセージを格納するＩＰｖ６パケットの送信元ＩＰアドレス（Ｓ−Ｉ）、宛先ＩＰアドレス（Ｄ−Ｉ）には、それぞれＩＰｖ６ルータ６Ｂ１のＩＰアドレス、マルチキャストアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）にはそれぞれＩＰｖ６ルータ６Ｂ１のＭＡＣアドレス、マルチキャストアドレスが設定される。
【００１０】
このＭＡＣフレームは、無線ＬＡＮコンバータ８および無線ＬＡＮアクセスポイント３を経由して、ＩＰｖ６ホスト５Ａに到達する（Ｓ９０４〜Ｓ９０６）。
【００１１】
次に、ＩＰｖ６ホスト５Ａは、ＩＰｖ６ルータ６Ｂ１のＭＡＣアドレスが判明したので、ＩＰｖ６ホスト５Ｂ１宛ての通信データを送信する。この通信データを格納するＩＰｖ６パケットの送信元ＩＰアドレス（Ｓ―Ｉ）、宛先ＩＰアドレス（Ｄ−Ｉ）には、それぞれＩＰｖ６ホスト５ＡのＩＰアドレス、ＩＰｖ６ホスト５Ｂ１のＩＰアドレスが設定され、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５ＡのＭＡＣアドレス、ＩＰｖ６ルータ６Ｂ１のＭＡＣアドレスが設定される。
【００１２】
このＭＡＣフレームは、無線ＬＡＮアクセスポイント３に到達する（Ｓ９０７）。しかし、このＭＡＣフレームの宛先ＭＡＣアドレス（Ｄ−Ｍ）は、ＩＰｖ６ルータ６Ｂ１のＭＡＣアドレスであり、無線ＬＡＮアクセスポイント３にステーションとして登録されていない。このため、無線ＬＡＮアクセスポイント３は、このＭＡＣフレームを無線送信しない。無線ＬＡＮアクセスポイント３は、ステーションモードで動作しており、自身の配下にあるステーションとして無線ＬＡＮコンバータ８は認識しているが、ＩＰｖ６ルータ６Ｂ１は認識していない。このため、このＭＡＣフレームが破棄されてしまい、ＩＰｖ６ホスト５Ａ、５Ｂ１間の通信が正常に行えない（Ｓ９０８）。
【００１３】
本発明は上記事情に鑑みてなされたものであり、本発明の目的は、無線ＬＡＮアクセスポイントと、この無線ＬＡＮアクセスポイントにステーションモードで接続する中継装置とを用いて、２つの有線ネットワークを接続して一つの有線／無線ネットワークにするネットワークシステムにおいて、中継装置側の有線ネットワークにルータが存在する場合でも、ＩＰホスト間の通信を正常に行える技術を提供することにある。
【課題を解決するための手段】
【００１４】
上記課題を解決するために、本発明では、中継装置でＭＡＣアドレスの載せ替えを行う。中継装置側の有線ネットワークから受信したフレームの送信元ＭＡＣアドレスを自中継装置のＭＡＣアドレスに変更して無線送信する。また、無線受信したフレームの宛先ＭＡＣアドレスを、このフレームの宛先ＩＰアドレスに対応するＭＡＣアドレスに変更して、このフレームを中継装置側の有線ネットワークに送信する。尚、このフレームは、例えばイーサネット（登録商標）の場合はＭＡＣフレームである。
【００１５】
例えば、本発明の一態様は、有線ＬＡＮおよび無線ＬＡＮ間を中継する中継装置であって、
前記有線ＬＡＮに接続されているＩＰホスト端末のＭＡＣアドレスとＩＰアドレスとを対応付けて記憶するホストアドレス記憶手段、および前記有線ＬＡＮに接続されているＩＰルータのＭＡＣアドレスとＩＰアドレスとを対応付けて記憶するルータアドレス記憶手段を有するアドレス記憶手段と、
前記有線ＬＡＮから受信したフレームの送信元ＭＡＣアドレスを、自中継装置のＭＡＣアドレスに変換して、当該フレームを前記無線ＬＡＮに中継する上り中継手段と、
前記無線ＬＡＮから受信したフレームの宛先ＩＰアドレスに対応付けられて前記ホストアドレス記憶手段にＭＡＣアドレスが記憶されている場合に、当該フレームの宛先ＭＡＣアドレスを、当該フレームの宛先ＩＰアドレスに対応付けられて前記ホストアドレス記憶手段に記憶されているＭＡＣアドレスに変換し、記憶されていない場合に、当該フレームの宛先ＭＡＣアドレスを、前記ルータアドレス記憶手段に記憶されているＭＡＣアドレスに変換して、当該フレームを前記有線ＬＡＮに中継する下り中継手段と、
ルータ通知メッセージを含むＩＰｖ６パケットを格納したフレームを前記有線ＬＡＮから受信した場合に、当該ルータ通知メッセージで指定されているソースリンクレイヤアドレスを、当該ＩＰｖ６パケットの送信元アドレスに対応付けて前記ルータアドレス記憶手段に登録するルータアドレス登録手段と、を有し、
前記上り中継手段は、
前記ルータ通知メッセージを含むＩＰｖ６パケットを格納したフレームを前記有線ＬＡＮから受信した場合に、当該ルータ通知メッセージで指定されているソースリンクレイヤアドレスを、自中継装置のＭＡＣアドレスに変換する。
また、本発明の他の態様は、有線ＬＡＮおよび無線ＬＡＮ間を中継する中継装置であって、
前記有線ＬＡＮに接続されているＩＰホスト端末のＭＡＣアドレスとＩＰアドレスとを対応付けて記憶するホストアドレス記憶手段、および前記有線ＬＡＮに接続されているＩＰルータのＭＡＣアドレスとＩＰアドレスとを対応付けて記憶するルータアドレス記憶手段を有するアドレス記憶手段と、
前記有線ＬＡＮから受信したフレームの送信元ＭＡＣアドレスを、自中継装置のＭＡＣアドレスに変換して、当該フレームを前記無線ＬＡＮに中継する上り中継手段と、
前記無線ＬＡＮから受信したフレームの宛先ＩＰアドレスに対応付けられて前記ホストアドレス記憶手段にＭＡＣアドレスが記憶されている場合に、当該フレームの宛先ＭＡＣアドレスを、当該フレームの宛先ＩＰアドレスに対応付けられて前記ホストアドレス記憶手段に記憶されているＭＡＣアドレスに変換し、記憶されていない場合に、当該フレームの宛先ＭＡＣアドレスを、前記ルータアドレス記憶手段に記憶されているＭＡＣアドレスに変換して、当該フレームを前記有線ＬＡＮに中継する下り中継手段と、
ルータ通知メッセージを含むＩＰｖ４パケットを格納したフレームを前記有線ＬＡＮから受信した場合に、当該フレームの送信元ＭＡＣアドレスを、当該ルータ通知メッセージで指定されているルータアドレスに対応付けて前記ルータアドレス記憶手段に登録するルータアドレス登録手段と、を有する。
【発明の効果】
【００１６】
本発明によれば、無線ＬＡＮアクセスポイントと、この無線ＬＡＮアクセスポイントにステーションモードで接続する中継装置とを用いて、２つの有線ネットワークを接続して一つの有線／無線ネットワークにするネットワークシステムにおいて、中継装置側の有線ネットワークにルータが存在する場合でも、ＩＰホスト間の通信を正常に行うことができる。
【発明を実施するための最良の形態】
【００１７】
以下、本発明の実施の形態について説明する。
【００１８】
図１は、本発明の一実施の形態に係る無線ＬＡＮコンバータを備えたＩＰｖ６ネットワークシステムの概略図である。
【００１９】
図１において、有線ネットワーク２Ａおよび有線ネットワーク２Ｂは、一つの有線／無線ネットワーク１を形成している。ここで、図１１に示すものと同じものには、同じ符号を付している。
【００２０】
図１において、有線ネットワーク２Ａは、ＷＤＳをサポートしていない無線ＬＡＮアクセスポイント３と、ＬＡＮ７Ａを介して無線ＬＡＮアクセスポイント３に接続するＩＰｖ６ホスト５ＡおよびＩＰｖ６ルータ６Ａと、を有する。また、有線ネットワーク２Ｂは、無線ＬＡＮアクセスポイント３にステーションモードで接続する無線ＬＡＮコンバータ４と、ＬＡＮ７Ｂ１を介して無線ＬＡＮコンバータ４に接続するＩＰｖ６ホスト５Ｂ３、ＩＰｖ６ルータ６Ｂ１、およびＩＰｖ６ルータ６Ｂ２と、ＬＡＮ７Ｂ２を介してＩＰｖ６ルータ６Ｂ１に接続するＩＰｖ６ホスト５Ｂ１と、ＬＡＮ７Ｂ３を介してＩＰｖ６ルータ６Ｂ２に接続するＩＰｖ６ホスト５Ｂ２と、を有する。
【００２１】
無線ＬＡＮコンバータ４は、中継するＭＡＣフレームのＭＡＣアドレスの載せ替えを行う。具体的には、ＬＡＮ７Ｂ１から受信したＭＡＣフレームの送信元ＭＡＣアドレスを自無線ＬＡＮコンバータ４のＭＡＣアドレスに変更し、このＭＡＣフレームを無線送信する。また、無線ＬＡＮから受信したＭＡＣフレームの宛先ＭＡＣアドレスを、このＭＡＣフレームに格納されているＩＰｖ６パケットの宛先ＩＰアドレスに対応するＭＡＣアドレスに変更し、このＭＡＣフレームをＬＡＮ７Ｂ１に送信する。
【００２２】
図２は、無線ＬＡＮコンバータ４の概略構成図である。
【００２３】
図示するように、無線ＬＡＮコンバータ４は、ＷＬＡＮインターフェース部４１と、ＬＡＮインターフェース部４２と、アドレス記憶部４３と、上り中継部４４と、下り中継部４５と、ホストアドレス登録部４６と、ルータアドレス登録部４７と、リダイレクトアドレス登録部４８と、を有する。
【００２４】
ＷＬＡＮインターフェース部４１は、無線ＬＡＮのインターフェース制御機能を有し、無線ＬＡＮから受信したＭＡＣフレームを下り中継部４５に渡すと共に、上り中継部４４から受け取ったＭＡＣフレームを無線ＬＡＮに送信する。
【００２５】
ＬＡＮインターフェース部４２は、ＬＡＮのインターフェース制御機能を有し、ＬＡＮ７Ｂ１から受信したＭＡＣフレームを上り中継部４４に渡すと共に、下り中継部４５から受け取ったＭＡＣフレームをＬＡＮ７Ｂ１に送信する。
【００２６】
アドレス記憶部４３には、有線ネットワーク２Ｂに属する通信装置（ＩＰｖ６ホスト５Ｂ１〜５Ｂ３、ＩＰｖ６ルータ６Ｂ１〜６Ｂ２）のＭＡＣアドレスおよびＩＰアドレスが互いに対応付けられて記憶される。図示するように、アドレス記憶部４３は、ホストアドレス記憶部４３１と、ルータアドレス記憶部４３２と、を有する。
【００２７】
ホストアドレス記憶部４３１には、有線ネットワーク２Ｂに属する通信装置５Ｂ１〜５Ｂ３、６Ｂ１〜６Ｂ２のＭＡＣアドレスおよびＩＰアドレスが互いに対応付けられて登録される。ここで、ＩＰｖ６ホスト５Ｂ１とＩＰｖ６ホスト５Ｂ２には、ＩＰｖ６ホスト５Ｂ１のＩＰアドレスとＩＰｖ６ルータ６Ｂ１のＭＡＣアドレス、ＩＰｖ６ホスト５Ｂ２のＩＰｖ６アドレスとＩＰｖ６ルータ６Ｂ２のＭＡＣアドレスとが記憶される。
【００２８】
図３（Ａ）は、ホストアドレス記憶部４３１の登録内容例を模式的に表した図である。
【００２９】
図示するように、ホストアドレス記憶部４３１には、有線ネットワーク２Ｂに属する通信装置単位でレコード４３１０が登録される。レコード４３１０は、ＭＡＣアドレスを登録するフィールド４３１１と、ＩＰアドレスを登録するフィールド４３１２と、このレコード４３１０が登録もしくは更新された日時を登録するフィールド４３１３と、を有する。一方、ルータアドレス記憶部４３２には、有線ネットワーク２Ｂに属する通信装置５Ｂ１〜５Ｂ３、６Ｂ１〜６Ｂ２のうち、ルータ（ＩＰｖ６ルータ６Ｂ１、６Ｂ２）のＭＡＣアドレスおよびＩＰアドレスが互いに対応付けられて登録される。図３（Ｂ）は、ルータアドレス記憶部４３２の登録内容例を模式的に表した図である。図示するように、ルータアドレス記憶部４３２には、有線ネットワーク２Ｂに属するルータ単位でレコード４３２０が登録される。レコード４３２０は、ＭＡＣアドレスを登録するフィールド４３２１と、ＩＰアドレスを登録するフィールド４３２２と、このレコード４３２０が登録もしくは更新された日時を登録するフィールド４３２３と、を有する。
【００３０】
上り中継部４４は、ＬＡＮインターフェース部４２から受信したＭＡＣフレームの送信元ＭＡＣアドレスを、自無線ＬＡＮコンバータ４のＭＡＣアドレスに変換し、このＭＡＣフレームをＷＬＡＮインターフェース部４１に中継する。
【００３１】
また、上り中継部４４は、ルータ通知メッセージを含むＩＰｖ６パケットを格納したＭＡＣフレームをＬＡＮインターフェース部４２から受信した場合に、このルータ通知メッセージで指定されているソースリンクレイヤアドレスを、自無線ＬＡＮコンバータ４のＭＡＣアドレスに変換する。
【００３２】
また、上り中継部４４は、ターゲットリンクレイヤアドレス（Ｔａｒｇｅｔ  Ｌｉｎｋ  Ｌａｙｅｒ  Ａｄｄｒｅｓｓ）が指定されたリダイレクト（Ｒｅｄｉｒｅｃｔ）メッセージを含むＩＰｖ６パケットを格納したＭＡＣフレームをＬＡＮインターフェース部４２から受信した場合に、このリダイレクトメッセージからターゲットリンクレイヤアドレスのオプションを削除する。
【００３３】
下り中継部４５は、ＷＬＡＮインターフェース部４１から受信したＭＡＣフレームの宛先ＭＡＣアドレスを、このＭＡＣフレームに格納されているＩＰｖ６パケットの宛先ＩＰアドレスに対応付けられてアドレス記憶部４３に記憶されているＭＡＣアドレスに変換し、このＭＡＣフレームをＬＡＮインターフェース部４２に中継する。具体的には、ＷＬＡＮインターフェース部４１から受信したＭＡＣフレームに格納されているＩＰｖ６パケットの宛先ＩＰアドレスに対応付けられたＭＡＣアドレスがホストアドレス記憶部４３１に記憶されている場合に、このＭＡＣフレームの宛先ＭＡＣアドレスをこのＭＡＣアドレスに変換する。該当するＭＡＣアドレスがホストアドレス記憶部４３１に記憶されていない場合は、このＭＡＣフレームの宛先ＭＡＣアドレスを、ルータアドレス記憶部４３２に記憶されているＭＡＣアドレスに変換する。
【００３４】
また、下り中継部４５は、ターゲットリンクレイヤアドレスが指定されたリダイレクトメッセージを含むＩＰｖ６パケットを格納したＭＡＣフレームをＷＬＡＮインターフェース部４１から受信した場合に、このターゲットリンクレイヤアドレスが自無線ＬＡＮコンバータ４のＭＡＣアドレスであるならば、このリダイレクトメッセージからターゲットリンクレイヤアドレスのオプションを削除する。
【００３５】
ホストアドレス登録部４６は、ＬＡＮインターフェース部４２が受信したＭＡＣフレームに格納されているＩＰｖ６パケットの送信元ＩＰアドレス毎に、このＭＡＣフレームの送信元ＭＡＣアドレスを、この送信元ＩＰアドレスに対応付けて、ホストアドレス記憶部４３１に登録する。
【００３６】
ルータアドレス記憶部４３２は、ＬＡＮインターフェース部４２が、ルータ通知メッセージを含むＩＰｖ６パケットを格納したＭＡＣフレームを受信した場合に、このルータ通知メッセージで指定されているソースリンクレイヤアドレスを、このＩＰｖ６パケットの送信元ＩＰアドレスに対応付けて、ルータアドレス記憶部４３２に登録する。
【００３７】
リダイレクトアドレス登録部４８は、ＬＡＮインターフェース部４２が、ターゲットリンクレイヤアドレスが指定されたリダイレクトメッセージを含むＩＰｖ６パケットを格納したＭＡＣフレームを受信した場合に、このターゲットリンクレイヤアドレスを、このリダイレクトメッセージで指定されている宛先ＩＰアドレスに対応付けてホストアドレス記憶部４３１に登録する。
【００３８】
次に、無線ＬＡＮコンバータ４の動作について説明する。
【００３９】
図４は、無線ＬＡＮコンバータ４の動作を説明するためのフロー図である。
【００４０】
無線ＬＡＮコンバータ４は、ＬＡＮインターフェース部４２によってＬＡＮ７Ｂ１からＭＡＣフレームを受信すると（Ｓ１０１でＹＥＳ）、後述する上り中継処理を行う（Ｓ１０２）。また、ＷＬＡＮインターフェース部４１によって無線ＬＡＮからＭＡＣフレームを受信すると（Ｓ１０３でＹＥＳ）、後述する下り中継処理を行う（Ｓ１０４）。
【００４１】
また、ホストアドレス登録部４６は、ホストアドレス記憶部４３１を参照し、フィールド４３１３に登録されている日時から現在日時までの経過時間が所定時間（例えば１０分）を超えているレコード４３１０を検索する。そして、検索したレコード４３１０をホストアドレス記憶部４３１から削除する（Ｓ１０５）。
【００４２】
また、ルータアドレス登録部４７は、ルータアドレス記憶部４３２を参照し、フィールド４３２３に登録されている日時から現在日時までの経過時間が所定時間（例えば６０分）を超えているレコード４３２０を検索する。そして、検索したレコード４３２０をルータアドレス記憶部４３２から削除する（Ｓ１０６）。
【００４３】
図５は、図４の上り中継処理（Ｓ１０２）を説明するためのフロー図である。
【００４４】
先ず、ＬＡＮインターフェース部４２は、ＬＡＮ７Ｂ１から受信したＭＡＣフレームを上り中継部４４に渡す。ホストアドレス登録部４６は、ＬＡＮインターフェース部４２から上り中継部４４に渡されたＭＡＣフレームのヘッダから送信元ＭＡＣアドレスを取得すると共に、このＭＡＣフレームに格納されているＩＰｖ６パケットのヘッダから送信元ＩＰアドレスを取得する（Ｓ１０２１）。
【００４５】
次に、ホストアドレス登録部４６は、取得した送信元ＩＰアドレスをキーにして、ホストアドレス記憶部４３１からレコード４３１０を検索し（Ｓ１０２２）、この送信元ＩＰアドレスがフィールド４３１２に登録されているレコード４３１０がホストアドレス記憶部４３１に存在するか否かを調べる（Ｓ１０２３）。
【００４６】
この送信元ＩＰアドレスがフィールド４３１２に登録されているレコード４３１０がホストアドレス記憶部４３１に存在しない場合（Ｓ１０２３でＮＯ）、ホストアドレス登録部４６は、ホストアドレス記憶部４３１に新たなレコード４３１０を追加する。そして、このレコード４３１０のフィールド４３１１に、Ｓ１０２１で取得した送信元ＭＡＣアドレスを登録し、フィールド４３１２に、Ｓ１０２１で取得した送信元ＩＰアドレスを登録し、そして、フィールド４３１３に現在日時を登録する（Ｓ１０２４）。
【００４７】
一方、この送信元ＩＰアドレスがフィールド４３１２に登録されているレコード４３１０がホストアドレス記憶部４３１に存在する場合（Ｓ１０２３でＹＥＳ）、ホストアドレス登録部４６は、このレコード４３１０のフィールド４３１１に登録されているＭＡＣアドレスを、Ｓ１０２１で取得した送信元ＭＡＣアドレスに更新すると共に、このレコード４３１０のフィールド４３１３に登録されている日時を現在日時に更新する（Ｓ１０２５）。
【００４８】
このようにしてホストアドレス記憶部４３１への新規レコードの追加または既存レコードの更新が完了すると、ルータアドレス登録部４７は、ＬＡＮインターフェース部４２から上り中継部４４に渡されたＭＡＣフレームが、ルータ通知メッセージを含むＩＰｖ６パケットを格納しているか否かを調べる（Ｓ１０２６）。該当ＩＰｖ６パケットを格納している場合は（Ｓ１０２６でＹＥＳ）、後述するルータアドレス登録処理を行う（Ｓ１０２７）。
【００４９】
また、リダイレクトアドレス登録部４８は、ＬＡＮインターフェース部４２から上り中継部４４に渡されたＭＡＣフレームが、ターゲットリンクレイヤアドレスが指定されたリダイレクトメッセージを含むＩＰｖ６パケットを格納しているか否かを調べる（Ｓ１０２８）。格納している場合は（Ｓ１０２８でＹＥＳ）、後述するリダイレクトアドレス登録処理を行う（Ｓ１０２９）。
【００５０】
次に、上り中継部４４は、ＬＡＮインターフェース部４２から渡されたＭＡＣフレームの送信元ＭＡＣアドレスを、自無線ＬＡＮコンバータ４のＭＡＣアドレスに変換し、このＭＡＣフレームをＷＬＡＮインターフェース部４１に中継する（Ｓ１０３０）。これを受けて、ＷＬＡＮインターフェース部４１は、上り中継部４４から受け取ったＭＡＣフレームを無線ＬＡＮに送信する（Ｓ１０３１）。
【００５１】
図６（Ａ）は、図５のルータアドレス登録処理（Ｓ１０２７）を説明するためのフロー図である。
【００５２】
ルータアドレス登録部４７は、ＬＡＮインターフェース部４２から上り中継部４４に渡されたＭＡＣフレームに格納されているＩＰｖ６パケットのヘッダから送信元ＩＰアドレスを取得すると共に、このＩＰｖ６パケットに格納されているルータ通知メッセージのオプションからソースリンクレイヤアドレスを取得する（Ｓ１０２７１）。
【００５３】
次に、ルータアドレス登録部４７は、取得した送信元ＩＰアドレスをキーにして、ルータアドレス記憶部４３２からレコード４３２０を検索し（Ｓ１０２７２）、この送信元ＩＰアドレスがフィールド４３２２に登録されているレコード４３２０がルータアドレス記憶部４３２に存在するか否かを調べる（Ｓ１０２７３）。
【００５４】
この送信元ＩＰアドレスがフィールド４３２２に登録されているレコード４３２０がルータアドレス記憶部４３２に存在しない場合（Ｓ１０２７３でＮＯ）、ルータアドレス登録部４７は、ルータアドレス記憶部４３２に新たなレコード４３２０を追加する。そして、このレコード４３２０のフィールド４３２１に、Ｓ１０２７１で取得したソースリンクレイヤアドレスを登録し、フィールド４３２２に、Ｓ１０２７１で取得した送信元ＩＰアドレスを登録し、そして、フィールド４３２３に現在日時を登録する（Ｓ１０２７４）。
【００５５】
一方、この送信元ＩＰアドレスがフィールド４３２２に登録されているレコード４３２０がルータアドレス記憶部４３２に存在する場合（Ｓ１０２７３でＹＥＳ）、ルータアドレス登録部４７は、このレコード４３２０のフィールド４３２１に登録されているＭＡＣアドレスを、Ｓ１０２７１で取得したソースリンクレイヤアドレスに更新すると共に、このレコード４３２０のフィールド４３２３に登録されている日時を現在日時に更新する（Ｓ１０２７５）。
【００５６】
それから、上り中継部４４は、ＬＡＮインターフェース部４２から渡されたＭＡＣフレームに格納されているＩＰｖ６パケットに含まれているルータ通知メッセージのソースリンクレイヤアドレスを、自無線ＬＡＮコンバータ４のＭＡＣアドレスに変換する（Ｓ１０２７６）。
【００５７】
図６（Ｂ）は、図５のリダイレクトアドレス登録処理（Ｓ１０２９）を説明するためのフロー図である。
【００５８】
リダイレクトアドレス登録部４８は、ＬＡＮインターフェース部４２から上り中継部４４に渡されたＭＡＣフレームに格納されているＩＰｖ６パケットに含まれているリダイレクトメッセージから宛先ＩＰアドレスを取得すると共に、このリダイレクトメッセージのオプションからターゲットリンクレイヤアドレスを取得する（Ｓ１０２９１）。
【００５９】
次に、リダイレクトアドレス登録部４８は、取得した宛先ＩＰアドレスをキーにしてホストアドレス記憶部４３１からレコード４３１０を検索し（Ｓ１０２９２）、この宛先ＩＰアドレスがフィールド４３１２に登録されているレコード４３１０がホストアドレス記憶部４３１に存在するか否かを調べる（Ｓ１０２９３）。
【００６０】
この宛先ＩＰアドレスがフィールド４３１２に登録されているレコード４３１０がホストアドレス記憶部４３１に存在しない場合（Ｓ１０２９３でＮＯ）、リダイレクトアドレス登録部４８は、ホストアドレス記憶部４３１に新たなレコード４３１０を追加する。そして、このレコード４３１０のフィールド４３１１に、Ｓ１０２９１で取得したターゲットリンクレイヤアドレスを登録し、フィールド４３１２に、Ｓ１０２９１で取得した宛先ＩＰアドレスを登録し、そして、フィールド４３１３に現在日時を登録する（Ｓ１０２９４）。
【００６１】
一方、この宛先ＩＰアドレスがフィールド４３１２に登録されているレコード４３１０がホストアドレス記憶部４３１に存在する場合（Ｓ１０２９３でＹＥＳ）、リダイレクトアドレス登録部４８は、このレコード４３１０のフィールド４３１１に登録されているＭＡＣアドレスを、Ｓ１０２９１で取得したターゲットリンクレイヤアドレスに更新すると共に、このレコード４３１０のフィールド４３１３に登録されている日時を現在日時に更新する（Ｓ１０２９５）。
【００６２】
それから、上り中継部４４は、ＬＡＮインターフェース部４２から渡されたＭＡＣフレームに格納されているＩＰｖ６パケットに含まれるリダイレクトメッセージのターゲットリンクレイヤアドレスのオプションを削除する（Ｓ１０２９６）。
【００６３】
図７は、図４の下り中継処理（Ｓ１０４）を説明するためのフロー図である。
【００６４】
先ず、ＷＬＡＮインターフェース部４１は、無線ＬＡＮから受信したＭＡＣフレームを下り中継部４５に渡す。これを受けて、下り中継部４５は、このＭＡＣフレームに格納されているＩＰｖ６パケットの宛先ＩＰアドレスをキーにして、ホストアドレス記憶部４３１からレコード４３１０を検索し（Ｓ１０４１）、この宛先ＩＰアドレスがフィールド４３１２に登録されているレコード４３１０がホストアドレス記憶部４３１に存在するか否かを調べる（Ｓ１０４２）。
【００６５】
この宛先ＩＰアドレスがフィールド４３１２に登録されているレコード４３１０がホストアドレス記憶部４３１に存在する場合（Ｓ１０４２でＹＥＳ）、下り中継部４５は、このＭＡＣフレームの宛先ＭＡＣアドレスを、このレコード４３１０のフィールド４３１１に登録されているＭＡＣアドレスに変更する（Ｓ１０４３）。
【００６６】
一方、この宛先ＩＰアドレスがフィールド４３１２に登録されているレコード４３１０がホストアドレス記憶部４３１に存在しない場合（Ｓ１０４２でＮＯ）、下り中継部４５は、ルータアドレス記憶部４３２にレコード４３２０が登録されているか否かを調べる（Ｓ１０４４）。レコード４３２０が登録されていない場合は（Ｓ１０４４でＮＯ）、Ｓ１０４９に進む。レコード４３２０が登録されている場合は（Ｓ１０４４でＹＥＳ）、このＭＡＣフレームの宛先ＭＡＣアドレスを、このレコード４３２０のフィールド４３２１に登録されているＭＡＣアドレスに変更する（Ｓ１０４５）。
【００６７】
ここで、ルータアドレス記憶部４３２にレコード４３２０が複数登録されている場合、このＭＡＣフレームを複製して、各レコード４３２０に一つのＭＡＣフレームを対応させる。そして、各ＭＡＣフレームの宛先ＭＡＣアドレスを、それぞれに対応するレコード４３２０のフィールド４３２１に登録されているＭＡＣアドレスに変更する。また、以下に説明する処理Ｓ１０４６〜Ｓ１０４９を、各ＭＡＣフレームに対して行う。
【００６８】
次に、Ｓ１０４６において、下り中継部４５は、ＷＬＡＮインターフェース部４１から受け取ったＭＡＣフレームが、ターゲットリンクレイヤアドレスが指定されたリダイレクトメッセージを含むＩＰｖ６パケットを格納しているか否かを調べる。そして、該当するＩＰｖ６パケットを格納している場合は（Ｓ１０４６でＹＥＳ）、そのターゲットリンクレイヤアドレスが自無線ＬＡＮコンバータ４のＭＡＣアドレスと一致するか否かをさらに調べる（Ｓ１０４７）。両アドレスが一致する場合は（Ｓ１０４７でＹＥＳ）、そのリダイレクトメッセージからターゲットリンクレイヤアドレスのオプションを削除する（Ｓ１０４８）。
【００６９】
さて、下り中継部４５は、以上の処理が終了したならば、このＭＡＣフレームをＬＡＮインターフェース部４２に中継する。これを受けて、ＬＡＮインターフェース部４２は、下り中継部４５から受け取ったＭＡＣフレームをＬＡＮ７Ｂ１に送信する（Ｓ１０４９）。
【００７０】
次に、図１に示すＩＰｖ６ネットワークシステムの動作例を説明する。
【００７１】
図８は、図１に示すＩＰｖ６ネットワークシステムにおいて、有線ネットワーク２ＡのＩＰｖ６ホスト５Ａが、他の有線ネットワーク２ＢのＩＰｖ６ホスト５Ｂ１に通信データを送信する場合の動作を説明するためのシーケンス図である。ここでは、無線ＬＡＮコンバータ４のホストアドレス記憶部４３１およびルータアドレス記憶部４３２の何れにもレコードが登録されていないものとして説明する。
【００７２】
ＩＰｖ６ホスト５Ａは、有線／無線ネットワーク１に属するＩＰｖ６ルータを検索するために、ルータ要請メッセージをマルチキャスト送信する（Ｓ２０１）。このルータ要請メッセージのソースリンクレイヤアドレス（ＳＬＬＡ）にはＩＰｖ６ホスト５ＡのＭＡＣアドレスが設定され、このルータ要請メッセージを格納するＩＰｖ６パケットの送信元ＩＰアドレス（Ｓ−Ｉ）、宛先ＩＰアドレス（Ｄ−Ｉ）には、それぞれＩＰｖ６ホスト５ＡのＩＰアドレス、マルチキャストアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５ＡのＭＡＣアドレス、マルチキャストアドレスが設定される。
【００７３】
このＭＡＣフレームは、無線ＬＡＮアクセスポイント３を介して無線ＬＡＮコンバータ４に伝送される（Ｓ２０２）。無線ＬＡＮコンバータ４は、このＭＡＣフレームに格納されているＩＰｖ６パケットの宛先ＩＰアドレス（Ｄ−Ｉ）がホストアドレス記憶部４３１に登録されておらず、かつ、ルータアドレス記憶部４３２にレコード４２３が登録されていないことを確認し、このＭＡＣフレームを、その宛先ＭＡＣアドレスを変更することなくＬＡＮ７Ｂ１に送信する。そして、このＭＡＣフレームは、ＩＰｖ６ルータ６Ｂ１に到達する（Ｓ２０３）。
【００７４】
次に、ＩＰｖ６ルータ６Ｂ１は、ルータ要請メッセージを受信すると、これに対する応答として、ルータ通知メッセージをマルチキャスト送信する（Ｓ２０４）。このルータ通知メッセージのソースリンクレイヤアドレス（ＳＳＬＡ）にはＩＰｖ６ルータ６Ｂ１のＭＡＣアドレスが設定され、このルータ通知メッセージを格納するＩＰｖ６パケットの送信元ＩＰアドレス（Ｓ−Ｉ）、宛先ＩＰアドレス（Ｄ−Ｉ）には、それぞれＩＰｖ６ルータ６Ｂ１のＩＰアドレス、マルチキャストアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ルータ６Ｂ１のＭＡＣアドレス、マルチキャストアドレスが設定される。
【００７５】
このＭＡＣフレームは、ＬＡＮ７Ｂ１を介して無線ＬＡＮコンバータ４に伝送される。無線ＬＡＮコンバータ４は、このＭＡＣフレームの送信元ＭＡＣアドレスおよびこのＭＡＣフレームに格納されているＩＰｖ６パケットの送信元ＩＰアドレスを含む新規レコード４３１０をホストアドレス記憶部４３１に登録する。また、無線ＬＡＮコンバータ４は、このＩＰｖ６パケットに格納されているルータ通知メッセージで指定されているソースリンクレイヤアドレスおよびこのＩＰｖ６パケットの送信元ＩＰアドレスを含む新規レコード４３２０をルータアドレス記憶部４３２に登録する。また、無線ＬＡＮコンバータ４は、このルータ通知メッセージで指定されているソースリンクレイヤアドレスおよびこのＭＡＣフレームの送信元ＭＡＣアドレスを、自無線ＬＡＮコンバータ４のＭＡＣアドレスに変更して、このＭＡＣフレームを無線ＬＡＮに送信する（Ｓ２０５）。このＭＡＣフレームは、無線ＬＡＮアクセスポイント３を介して、ＩＰｖ６ホスト５Ａに到達する（Ｓ２０６）。
【００７６】
以上により、ＩＰｖ６ホスト５Ａは、無線ＬＡＮコンバータ４のＭＡＣアドレスをＩＰｖ６ルータ６Ｂ１のＭＡＣアドレスとして認識する。
【００７７】
次に、ＩＰｖ６ホスト５Ａは、ＩＰｖ６ホスト５Ｂ１宛ての通信データを送信する。この通信データを格納するＩＰｖ６パケットの送信元ＩＰアドレス（Ｓ−Ｉ）、宛先ＩＰアドレス（Ｄ−Ｉ）には、それぞれＩＰｖ６ホスト５ＡのＩＰアドレス、ＩＰｖ６ホスト５Ｂ１のＩＰアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５ＡのＭＡＣアドレス、無線ＬＡＮコンバータ４のＭＡＣアドレスが設定される。
【００７８】
このＭＡＣフレームは、無線ＬＡＮアクセスポイント３に到達する（Ｓ２０７）。ここで、このＭＡＣフレームの宛先ＭＡＣアドレス（Ｄ−Ｍ）は、無線ＬＡＮアクセスポイント３にステーションとして登録されている無線ＬＡＮコンバータ４のＭＡＣアドレスである。このため、無線ＬＡＮアクセスポイント３は、このＭＡＣフレームを無線送信する。そして、無線ＬＡＮコンバータ４は、このＭＡＣフレームを受信する（Ｓ２０８）。
【００７９】
次に、無線ＬＡＮコンバータ４は、このＭＡＣフレームに格納されているＩＰｖ６パケットの宛先ＩＰアドレス（Ｄ−Ｉ）がホストアドレス記憶部４３１に登録されていないことを確認し、このＭＡＣフレームを、その宛先ＭＡＣアドレス（Ｄ−Ｍ）をルータアドレス記憶部４３２に登録されているＩＰｖ６ルータ６Ｂ１のＭＡＣアドレスに変更してＬＡＮ７Ｂ１に送信する。そして、このＭＡＣフレームは、ＩＰｖ６ルータ６Ｂ１に到達する（Ｓ２０９）。
【００８０】
ＩＰｖ６ルータ６Ｂ１は、ＮＤＰ（Ｎｅｉｇｈｂｏｒ  Ｄｉｓｃｏｖｅｒｙ  Ｐｒｏｔｏｃｏｌ）に従い、ＬＡＮ７Ｂ１から受信したＭＡＣフレームの宛先ＭＡＣアドレス（Ｄ−Ｍ）を、このＭＡＣフレームに格納されているＩＰｖ６パケットの宛先ＩＰアドレス（Ｄ−Ｉ）に対応するＭＡＣアドレス、すなわちＩＰｖ６ホスト５Ｂ１のＭＡＣアドレスに変更する。そして、ＬＡＮ７Ｂ２に送信する。このＭＡＣフレームは、ＬＡＮ７Ｂ２を介して、ＩＰｖ６ホスト５Ｂ１に到達する（Ｓ２１０）。
【００８１】
以上のようにして、ＩＰｖ６ホスト５Ａ、５Ｂ１間の通信が正常に行われる。
【００８２】
図９は、図１に示すＩＰｖ６ネットワークシステムにおいて、有線ネットワーク２ＡのＩＰｖ６ホスト５Ａが、他の有線ネットワーク２ＢのＩＰｖ６ホスト５Ｂ２に通信データを送信する場合の動作を説明するためのシーケンス図である。ここでは、ＩＰｖ６ホスト５Ａが、ＩＰｖ６ルータ６Ｂ１のＭＡＣアドレスとして無線ＬＡＮコンバータ４のＭＡＣアドレスを認識しており、且つ無線ＬＡＮコンバータ４のホストアドレス記憶部４３１およびルータアドレス記憶部４３２には、ＩＰｖ６ルータ６Ｂ１のＭＡＣアドレスおよびＩＰアドレスを含むレコードのみが、それぞれに登録されているものとして説明する。
【００８３】
ＩＰｖ６ホスト５Ａは、ＩＰｖ６ホスト５Ｂ２宛ての通信データを送信する。この通信データを格納するＩＰｖ６パケットの送信元ＩＰアドレス（Ｓ−Ｉ）、宛先ＩＰアドレス（Ｄ−Ｉ）には、それぞれＩＰｖ６ホスト５ＡのＩＰアドレス、ＩＰｖ６ホスト５Ｂ２のＩＰアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５ＡのＭＡＣアドレス、無線ＬＡＮコンバータ４のＭＡＣアドレスが設定される。
【００８４】
このＭＡＣフレームは、無線ＬＡＮアクセスポイント３に到達する（Ｓ３０１）。ここで、このＭＡＣフレームの宛先ＭＡＣアドレス（Ｄ−Ｍ）は、無線ＬＡＮアクセスポイント３にステーションとして登録されている無線ＬＡＮコンバータ４のＭＡＣアドレスである。このため、無線ＬＡＮアクセスポイント３は、このＭＡＣフレームを無線送信する。そして、無線ＬＡＮコンバータ４は、このＭＡＣフレームを受信する（Ｓ３０２）。
【００８５】
次に、無線ＬＡＮコンバータ４は、このＭＡＣフレームに格納されているＩＰｖ６パケットの宛先ＩＰアドレス（Ｄ−Ｉ）が、ホストアドレス記憶部４３１に登録されていないことを確認し、このＭＡＣフレームの宛先ＭＡＣアドレス（Ｄ−Ｍ）を、ルータアドレス記憶部４３２に登録されているＩＰｖ６ルータ６Ｂ１のＭＡＣアドレスに変更する。そして、無線ＬＡＮコンバータ４は、このＭＡＣフレームをＬＡＮ７Ｂ１に送信する。そして、このＭＡＣフレームは、ＩＰｖ６ルータ６Ｂ１に到達する（Ｓ３０３）。
【００８６】
ＩＰｖ６ルータ６Ｂ１は、ＩＰｖ６ホスト５Ｂ２に通信データを送信するにはＩＰｖ６ルータ６Ｂ２に通信データを送信しなければならないことを知らせるために、リダイレクトメッセージをＩＰｖ６ホスト５Ａに送信する（Ｓ３０４）。このリダイレクトメッセージのターゲットアドレス（Ｔ−Ａ）、宛先ＩＰアドレス（Ｄ−Ａ）、ターゲットリンクレイヤアドレス（ＴＬＬＡ：Ｔａｒｇｅｔ  Ｌｉｎｋ  Ｌａｙｅｒ  Ａｄｄｒｅｓｓ）にはそれぞれＩＰｖ６ルータ６Ｂ２のＩＰアドレス、ＩＰｖ６ホスト５Ｂ２のＩＰアドレス、ＩＰｖ６ルータ６Ｂ２のＭＡＣアドレスが設定され、このリダイレクトメッセージを格納するＩＰｖ６パケットの送信元ＩＰアドレス（Ｓ−Ｉ）、宛先ＩＰアドレス（Ｄ−Ｉ）には、それぞれＩＰｖ６ルータ６Ｂ１のＩＰアドレス、ＩＰｖ６ホスト５ＡのＩＰアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ルータ６Ｂ１のＭＡＣアドレス、ＩＰｖ６ホスト５ＡのＭＡＣアドレスが設定される。
【００８７】
このＭＡＣフレームは、ＬＡＮ７Ｂ１を介して無線ＬＡＮコンバータ４に伝送される。無線ＬＡＮコンバータ４は、ホストアドレス記憶部４３１に登録されている、このＭＡＣフレームに格納されているＩＰｖ６パケットの送信元ＩＰアドレス（Ｓ−Ｉ）を含むレコード４３１０を更新する。また、無線ＬＡＮコンバータ４は、このＭＡＣフレームに格納されているＩＰｖ６パケットに含まれているリダイレクトメッセージで指定されている宛先ＩＰアドレス（Ｄ−Ａ）およびターゲットリンクレイヤアドレス（ＴＬＬＡ）を含むレコード４３１０をホストアドレス記憶部４３１に登録する。
【００８８】
また、無線ＬＡＮコンバータ４は、このリダイレクトメッセージで指定されているターゲットリンクレイヤアドレスのオプションを削除すると共に、このＭＡＣフレームの送信元ＭＡＣアドレス（Ｓ−Ｍ）を自無線ＬＡＮコンバータ４のＭＡＣアドレスに変更して、このＭＡＣフレームを無線ＬＡＮに送信する（Ｓ３０５）。このＭＡＣフレームは、無線ＬＡＮアクセスポイント３を介して、ＩＰｖ６ホスト５Ａに到達する（Ｓ３０６）。
【００８９】
以上により、ＩＰｖ６ホスト５Ａは、ＩＰｖ６ホスト５Ｂ２の最適な次ホップであるＩＰｖ６ルータ６Ｂ２のＩＰアドレスを取得する。そして、ＩＰｖ６ホスト５Ａは、ＮＤＰを利用することにより、ＩＰｖ６ルータ６Ｂ２のＭＡＣアドレスを取得する。この際、ＩＰｖ６ホスト５Ａは、無線ＬＡＮコンバータ４のＭＡＣアドレスをＩＰｖ６ルータ６Ｂ２のＭＡＣアドレスとして認識する（図８のＳ２０１〜Ｓ２０６参照）。
【００９０】
次に、ＩＰｖ６ホスト５Ａは、ＩＰｖ６ホスト５Ｂ２宛ての通信データを送信する。この通信データを格納するＩＰｖ６パケットの送信元ＩＰアドレス（Ｓ−Ｉ）、宛先ＩＰアドレス（Ｄ−Ｉ）には、それぞれＩＰｖ６ホスト５ＡのＩＰアドレス、ＩＰｖ６ホスト５Ｂ２のＩＰアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５ＡのＭＡＣアドレス、無線ＬＡＮコンバータ４のＭＡＣアドレスが設定される。
【００９１】
このＭＡＣフレームは、無線ＬＡＮアクセスポイント３に到達する（Ｓ３０７）。ここで、このＭＡＣフレームの宛先ＭＡＣアドレスは、無線ＬＡＮアクセスポイント３にステーションとして登録されている無線ＬＡＮコンバータ４のＭＡＣアドレスである。このため、無線ＬＡＮアクセスポイント３は、このＭＡＣフレームを無線送信する。そして、無線ＬＡＮコンバータ４は、このＭＡＣフレームを受信する（Ｓ３０８）。
【００９２】
次に、無線ＬＡＮコンバータ４は、このＭＡＣフレームに格納されているＩＰｖ6パケットの宛先ＩＰアドレス（Ｄ−Ｉ）がホストアドレス記憶部４３１に登録されていることを確認し、このＭＡＣフレームの宛先ＭＡＣアドレス（Ｄ−Ｍ）を、この宛先ＩＰアドレスと同じレコード４３１０に登録されているＭＡＣアドレス（ＩＰｖ６ルータ６Ｂ２のＭＡＣアドレス）に変更する。そして、このＭＡＣフレームをＬＡＮ７Ｂ１に送信する。そして、このＭＡＣフレームは、ＩＰｖ６ルータ６Ｂ２に到達する（Ｓ３０９）。
【００９３】
ＩＰｖ６ルータ６Ｂ２は、ＮＤＰに従い、ＬＡＮ７Ｂ１から受信したＭＡＣフレームの宛先ＭＡＣアドレスを、このＭＡＣフレームに格納されているＩＰｖ６パケットの宛先ＩＰアドレスに対応するＭＡＣアドレス、すなわちＩＰｖ６ホスト５Ｂ２のＭＡＣアドレスに変更して、ＬＡＮ７Ｂ３に送信する。このＭＡＣフレームは、ＬＡＮ７Ｂ３を介して、ＩＰｖ６ホスト５Ｂ２に到達する。
【００９４】
以上のようにして、ＩＰｖ６ホスト５Ａ、５Ｂ２間の通信が正常に行われる。
【００９５】
図１０は、図１に示すＩＰｖ６ネットワークシステムにおいて、有線ネットワーク２ＢのＩＰｖ６ホスト５Ｂ３が、同じ有線ネットワーク２ＡのＩＰｖ６ホスト５Ｂ１に通信データを送信する場合の動作を説明するためのシーケンス図である。ここでは、ＩＰｖ６ホスト５Ｂ３がＩＰｖ６ルータ６ＡのＭＡＣアドレスを認識し、その他のＩＰｖ６ルータ６Ｂ１、６Ｂ２のＭＡＣアドレスは認識していないものとして説明する。
【００９６】
ＩＰｖ６ホスト５Ｂ３は、ＩＰｖ６ホスト５Ｂ１宛ての通信データを送信する。この通信データを格納するＩＰｖ６パケットの送信元ＩＰアドレス（Ｓ−Ｉ）、宛先ＩＰアドレス（Ｄ−Ｉ）には、それぞれＩＰｖ６ホスト５Ｂ３のＩＰアドレス、ＩＰｖ６ホスト５Ｂ１のＩＰアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５Ｂ３のＭＡＣアドレス、ＩＰｖ６ルータ６ＡのＭＡＣアドレスが設定される。
【００９７】
このＭＡＣフレームは、無線ＬＡＮコンバータ４に到達する（Ｓ４０１）。無線ＬＡＮコンバータ４は、このＭＡＣフレームの送信元ＭＡＣアドレス（Ｓ−Ｍ）およびこのＭＡＣフレームが格納したＩＰｖ６パケットの送信元ＩＰアドレス（Ｓ−Ｉ）を含むレコード４３１０をホストアドレス記憶部４３１に登録する。また、無線ＬＡＮコンバータ４は、このＭＡＣフレームの送信元ＭＡＣアドレス（Ｓ−Ｍ）を自無線ＬＡＮコンバータ４のＭＡＣアドレスに変更し、このＭＡＣフレームを無線送信する（Ｓ４０２）。このＭＡＣフレームは、無線ＬＡＮアクセスポイント３を介してＩＰｖ６ルータ６Ａに到達する（Ｓ４０３）。
【００９８】
ＩＰｖ６ルータ６Ａは、ＩＰｖ６ホスト５Ｂ１に通信データを送信するにはＩＰｖ６ルータ６Ｂ１に通信データを送信しなければならないことを知らせるために、リダイレクトメッセージをＩＰｖ６ホスト５Ｂ３に送信する。このリダイレクトメッセージのターゲットアドレス（Ｔ−Ａ）、宛先ＩＰアドレス（Ｄ−Ａ）、ターゲットリンクレイヤアドレス（ＴＬＬＡ）には、それぞれＩＰｖ６ルータ６Ｂ１のＩＰアドレス、ＩＰｖ６ホスト５Ｂ１のＩＰアドレス、無線ＬＡＮコンバータ４のＭＡＣアドレスが設定され、このリダイレクトメッセージを格納するＩＰｖ６パケットの送信元ＩＰアドレス（Ｓ−Ｉ）、宛先ＩＰアドレス（Ｄ−Ｉ）には、それぞれＩＰｖ６ルータ６ＡのＩＰアドレス、ＩＰｖ６ホスト５Ｂ３のＩＰアドレスが設定される。そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ルータ６ＡのＭＡＣアドレス、無線ＬＡＮコンバータ４のＭＡＣアドレスが設定される。ここで、リダイレクトメッセージのターゲットリンクレイヤアドレス（ＴＬＬＡ）、ＭＡＣフレームの宛先ＭＡＣアドレス（Ｄ−Ｍ）に無線ＬＡＮコンバータ４のＭＡＣアドレスが設定される理由は、ＩＰｖ６ルータ６Ａが、無線ＬＡＮコンバータ４のＭＡＣアドレスを、ＩＰｖ６ルータ６Ｂ１のＭＡＣアドレス、ＩＰｖ６ホスト５Ｂ３のＭＡＣアドレスとして認識しているためである。
【００９９】
このＭＡＣフレームは、ＬＡＮ７Ａを介して無線ＬＡＮアクセスポイント３に到達する（Ｓ４０４）。ここで、このＭＡＣフレームの宛先ＭＡＣアドレス（Ｄ−Ｍ）は、無線ＬＡＮアクセスポイント３にステーションとして登録されている無線ＬＡＮコンバータ４のＭＡＣアドレスである。このため、無線ＬＡＮアクセスポイント３は、このＭＡＣフレームを無線送信する。そして、無線ＬＡＮコンバータ４は、このＭＡＣフレームを受信する（Ｓ４０５）。
【０１００】
無線ＬＡＮコンバータ４は、このＭＡＣフレームに格納されているＩＰｖ６パケットの宛先ＩＰアドレス（Ｄ−Ｉ）がホストアドレス記憶部４３１に登録されていることを確認し、このＭＡＣフレームの宛先ＭＡＣアドレス（Ｄ−Ｍ）を、この宛先ＩＰアドレスと同じレコード４３１０に含まれているＭＡＣアドレス（ＩＰｖ６ホスト５Ｂ３のＭＡＣアドレス）に変更する。また、このＭＡＣフレームに格納されているＩＰｖ６パケットが、自無線ＬＡＮコンバータ４のＭＡＣアドレスをターゲットリンクレイヤアドレスにオプション設定しているので、このオプションを削除する。それから、このＭＡＣフレームをＬＡＮ７Ｂ１に送信する。そして、このＭＡＣフレームは、ＩＰｖ６ホスト５Ｂ３に到達する（Ｓ４０６）。
【０１０１】
以上により、ＩＰｖ６ホスト５Ｂ３は、ＩＰｖ６ホスト５Ｂ１の最適な次ホップであるＩＰｖ６ルータ６Ｂ１のＩＰアドレスを取得する。そして、ＩＰｖ６ホスト５Ｂ３は、ＮＤＰを利用することにより、ＩＰｖ６ルータ６Ｂ１のＭＡＣアドレスを取得する。
【０１０２】
次に、ＩＰｖ６ホスト５Ｂ３は、ＩＰｖ６ホスト５Ｂ１宛ての通信データを送信する。この通信データを格納するＩＰｖ６パケットの送信元ＩＰアドレス（Ｓ−Ｉ）、宛先ＩＰアドレス（Ｄ−Ｉ）には、それぞれＩＰｖ６ホスト５Ｂ３のＩＰアドレス、ＩＰｖ６ホスト５Ｂ１のＩＰアドレスが設定され、そして、このＩＰｖ６パケットを格納するＭＡＣフレームの送信元ＭＡＣアドレス（Ｓ−Ｍ）、宛先ＭＡＣアドレス（Ｄ−Ｍ）には、それぞれＩＰｖ６ホスト５Ｂ３のＭＡＣアドレス、ＩＰｖ６ルータ６Ｂ１のＭＡＣアドレスが設定される。
【０１０３】
このＭＡＣフレームは、ＬＡＮ７Ｂ１を介してＩＰｖ６ルータ６Ｂ１に到達する（Ｓ４０７）。ＩＰｖ６ルータ６Ｂ１は、ＮＤＰに従い、ＬＡＮ７Ｂ１から受信したＭＡＣフレームの宛先ＭＡＣアドレス（Ｄ−Ｍ）を、このＭＡＣフレームに格納されているＩＰｖ６パケットの宛先ＩＰアドレス（Ｄ−Ｉ）に対応するＭＡＣアドレス、すなわちＩＰｖ６ホスト５Ｂ１のＭＡＣアドレスに変更する。そして、このＭＡＣフレームをＬＡＮ７Ｂ２に送信する。これにより、このＭＡＣフレームは、ＬＡＮ７Ｂ３を介して、ＩＰｖ６ホスト５Ｂ１に到達する。
【０１０４】
以上のようにして、ＩＰｖ６ホスト５Ｂ３、５Ｂ１間の通信が正常に行われる。
【０１０５】
以上、本発明の一実施の形態を説明した。
【０１０６】
本実施の形態では、無線ＬＡＮコンバータ４でＭＡＣアドレスの載せ替えを行う。具体的には、無線ＬＡＮコンバータ４は、自有線ネットワーク２Ｂから受信したＭＡＣフレームの送信元ＭＡＣアドレスを自無線ＬＡＮコンバータ４のＭＡＣアドレスに変更して無線送信する。また、無線受信したＭＡＣフレームを、その宛先ＭＡＣアドレスを、このＭＡＣフレームに格納されているＩＰパケットの宛先ＩＰアドレスに対応するＭＡＣアドレスに変更してから有線ネットワーク２Ｂに送信する。したがって、有線ネットワーク２Ａから有線ネットワーク２Ｂに送信される全てのＭＡＣフレームの宛先アドレスは、無線ＬＡＮアクセスポイント３が配下のステーションとして登録している無線ＬＡＮコンバータ４のＭＡＣアドレスとなる。
【０１０７】
このため、本実施の形態によれば、無線ＬＡＮアクセスポイント３と、この無線ＬＡＮアクセスポイント３にステーションモードで接続する無線ＬＡＮコンバータ４とを用いて、２つの有線ネットワーク２Ａ、２Ｂを接続して一つの有線／無線ネットワーク１にするネットワークシステムにおいて、無線ＬＡＮコンバータ４側の有線ネットワーク２ＢにＩＰｖ６ルータ６Ｂ１、６Ｂ２が存在する場合でも、ＩＰｖ６ホスト５Ａ、５Ｂ１〜５Ｂ３間の通信を正常に行うことができる。
【０１０８】
また、本実施の形態では、有線ネットワーク２Ｂに属する通信装置（ＩＰｖ６ホスト５Ｂ１〜５B３、ＩＰｖ６ルータ６Ｂ１〜６Ｂ２）のＭＡＣアドレスおよびＩＰアドレスを含むレコード４３１０が記憶されるホストアドレス記憶部４３１と、有線ネットワーク２Ｂに属するＩＰｖ６ルータ６Ｂ１〜６Ｂ２のＭＡＣアドレスおよびＩＰアドレスを含むレコード４３２０が記憶されるルータアドレス記憶部４３２と、を有する。そして、下り中継部４５は、無線ＬＡＮから受信したＭＡＣフレームに格納されているＩＰパケットの宛先ＩＰアドレスに対応付けられたＭＡＣアドレスがホストアドレス記憶部４３１に記憶されている場合に、有線ネットワーク２Ｂへの送信前に、このＭＡＣフレームの宛先ＭＡＣアドレスを、ホストアドレス記憶部４３１に記憶されているＭＡＣアドレスに変換し、該当するＭＡＣアドレスがホストアドレス記憶部４３１に記憶されていない場合に、有線ネットワーク２Ｂへの送信前に、このＭＡＣフレームの宛先ＭＡＣアドレスを、ルータアドレス記憶部４３２に記憶されているＭＡＣアドレスに変換する。
【０１０９】
このため、本実施の形態によれば、有線ネットワーク２Ｂに属するＩＰｖ６ホストであって、無線ＬＡＮコンバータ４が認識していないＩＰｖ６ホスト（ホストアドレス記憶部４３１にレコード４３１０が登録されていないＩＰｖ６ホスト）をＭＡＣフレームの宛先とする場合でも、そのＭＡＣフレームを有線ネットワーク２Ａから有線ネットワーク２Ｂに中継することができる。
【０１１０】
また、本実施の形態では、有線ネットワーク２Ｂから受信したＭＡＣフレームに格納されているＩＰｖ６パケットの送信元ＩＰアドレス毎に、このＭＡＣフレームの送信元ＭＡＣアドレスおよびこの送信元ＩＰアドレスを含むレコード４３１０をホストアドレス記憶部４３１に登録するホストアドレス登録部４６を有する。
【０１１１】
このため、本実施の形態によれば、有線ネットワーク２Ｂに属する通信装置５Ｂ１〜５B３、６Ｂ１〜６Ｂ２のＭＡＣアドレスおよびＩＰアドレスを含むレコード４３１０を自動でホストアドレス記憶部４３１に登録することができる。
【０１１２】
また、本実施の形態では、有線ネットワーク２Ｂからルータ通知メッセージを含むＩＰｖ６パケットを格納したＭＡＣフレームを受信した場合に、このルータ通知メッセージで指定されているソースリンクレイヤアドレスおよびこのＩＰｖ６パケットの送信元ＩＰアドレスを含むレコード４３２０をルータアドレス記憶部４３２に登録するルータアドレス登録部４７を有する。また、上り中継部４４は、ルータ通知メッセージを含むＩＰｖ６パケットを格納したＭＡＣフレームを有線ネットワーク２Ｂから受信した場合に、このルータ通知メッセージで指定されているソースリンクレイヤアドレスを、自無線ＬＡＮコンバータ４のＭＡＣアドレスに変更する。
【０１１３】
このため、本実施の形態によれば、有線ネットワーク２Ｂに属するＩＰｖ６ルータ６Ｂ１、６Ｂ２のＭＡＣアドレスおよびＩＰアドレスを含むレコード４３２０を自動でルータアドレス記憶部４３２に登録することができる。また、有線ネットワーク２Ａに属する通信装置５Ａ、６Ａに対しては、無線ＬＡＮコンバータ４のＭＡＣアドレスを、有線ネットワーク２Ｂに属するＩＰｖ６ルータ５Ａ、６ＡのＭＡＣアドレスとして認識させることができるので、有線ネットワーク２Ｂに属するＩＰｖ６ルータ５Ａ、６Ａ宛のＭＡＣフレームを、無線ＬＡＮアクセスポイント３に中継させることができる。
【０１１４】
また、本実施の形態では、ターゲットリンクレイヤアドレスが指定されたリダイレクトメッセージを含むＩＰｖ６パケットを格納したＭＡＣフレームを有線ネットワーク２Ｂから受信した場合に、このターゲットリンクレイヤアドレスおよびこのリダイレクトメッセージで指定されている宛先ＩＰアドレスを含むレコード４３１０をホストアドレス記憶部４３１に登録するリダイレクトアドレス登録部４８を有する。また、上り中継部４４は、ターゲットリンクレイヤアドレスが指定されたリダイレクトメッセージを含むＩＰｖ６パケットを格納したＭＡＣフレームを有線ネットワーク２Ｂから受信した場合に、このリダイレクトメッセージからターゲットリンクレイヤアドレスのオプションを削除する。また、下り中継部４５は、ターゲットリンクレイヤアドレスが指定されたリダイレクトメッセージを含むＩＰｖ６パケットを格納したＭＡＣフレームを無線ＬＡＮから受信した場合に、このターゲットリンクレイヤアドレスが自無線ＬＡＮコンバータ４のＭＡＣアドレスであるならば、このリダイレクトメッセージからターゲットリンクレイヤアドレスのオプションを削除する。
【０１１５】
このため、本実施の形態によれば、有線ネットワーク２Ｂに属するＩＰｖ６ホスト５Ｂ１〜５Ｂ３のＩＰアドレスと、このＩＰｖ６ホスト５Ｂ１〜５Ｂ３の次ホップとなるＩＰｖ６ルータ６Ｂ１、６Ｂ２のＭＡＣアドレスとを含むレコード４３１０を、自動でホストアドレス記憶部４３１に登録することができる。また、無線ＬＡＮアクセスポイント３にステーションとして登録されていないＩＰｖ６ルータのＭＡＣアドレスを、有線ネットワーク２Ｂに属するＩＰｖ６ホスト５Ｂ１〜５Ｂ３の次ホップとなるＩＰｖ６ルータ６Ｂ１、６Ｂ２のＭＡＣアドレスとして、有線ネットワーク２Ａに属するＩＰｖ６ホスト５Ａに通知してしまう事態を防止することができる。
【０１１６】
なお、本発明は上記の実施の形態に限定されるものではなく、その要旨の範囲内で数々の変形が可能である。
【０１１７】
例えば、上記の実施の形態では、ＩＰ層にＩＰｖ６を用いた場合を例とり説明した。しかし、本発明はこれに限定されない。本発明は、ＩＰ層に現在最も普及しているＩＰｖ４（Ｉｎｔｅｒｎｅｔ  Ｐｒｏｔｏｃｏｌ  Ｖｅｒｓｉｏｎ  ４）を用いることも可能である。但し、ＩＰｖ４のルータ通知メッセージには、ソースリンクレイヤアドレスオプションに相当する情報が存在しない。そこで、ルータ通知メッセージを含むＩＰｖ４パケットを格納したＭＡＣフレームを有線ネットワーク２Ｂから受信した場合に、ルータアドレス登録部４７が、このＭＡＣフレームの送信元ＭＡＣアドレスと、このルータ通知メッセージで指定されているルータアドレス（ＩＰアドレス）とを含むレコード４３２０をルータアドレス記憶部４３２に登録するようにする。
【０１１８】
また、ＩＰｖ４のリダイレクトメッセージには、ターゲットリンクレイヤオプションに相当する情報が存在しない。そこで、リダイレクトメッセージを含むＩＰｖ４パケットを格納したＭＡＣフレームを有線ネットワーク２Ｂから受信した場合に、リダイレクトアドレス登録部４８が、ＡＲＰ（Ａｄｄｒｅｓｓ  Ｒｅｓｏｌｕｔｉｏｎ  Ｐｒｏｔｏｃｏｌ）により（自無線ＬＡＮコンバータ４が備えるＡＲＰテーブルから、もしくはＡＲＰリクエストにより）、このＩＰｖ４パケットの宛先ＩＰアドレスに対応するＭＡＣアドレスを取得し、取得したＭＡＣアドレスおよびこのＩＰｖ４パケットの宛先ＩＰアドレスを含むレコード４３１０をホストアドレス記憶部４３１に登録するようにする。
【０１１９】
また、上記の実施の形態において、図２に示す無線ＬＡＮコンバータ４の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）、ＰＣ（Ｐｅｒｓｏｎａｌ  Ｃｏｍｐｕｔｅｒ）などの計算機によりソフトウエア的に実行されるものでもよい。
【図面の簡単な説明】
【０１２０】
【図１】図１は、本発明の一実施の形態に係る無線ＬＡＮコンバータを備えたＩＰｖ６ネットワークシステムの概略図である。
【図２】図２は、無線ＬＡＮコンバータ４の概略構成図である。
【図３】図３（Ａ）は、ホストアドレス記憶部４３１の登録内容例を模式的に表した図であり、図３（Ｂ）は、ルータアドレス記憶部４３２の登録内容例を模式的に表した図である。
【図４】図４は、無線ＬＡＮコンバータ４の動作を説明するためのフロー図である。
【図５】図５は、図４の上り中継処理（Ｓ１０２）を説明するためのフロー図である。
【図６】図６（Ａ）は、図５のルータアドレス登録処理（Ｓ１０２７）を説明するためのフロー図であり、図６（Ｂ）は、図５のリダイレクトアドレス登録処理（Ｓ１０２９）を説明するためのフロー図である。
【図７】図７は、図４の下り中継処理（Ｓ１０４）を説明するためのフロー図である。
【図８】図８は、図１に示すＩＰｖ６ネットワークシステムにおいて、ＩＰｖ６ホスト５ＡがＩＰｖ６ホスト５Ｂ１に通信データを送信する場合の動作を説明するためのシーケンス図である。
【図９】図９は、図１に示すＩＰｖ６ネットワークシステムにおいて、ＩＰｖ６ホスト５ＡがＩＰｖ６ホスト５Ｂ２に通信データを送信する場合の動作を説明するためのシーケンス図である。
【図１０】図１０は、図１に示すＩＰｖ６ネットワークシステムにおいて、ＩＰｖ６ホスト５Ｂ３がＩＰｖ６ホスト５Ｂ１に通信データを送信する場合の動作を説明するためのシーケンス図である。
【図１１】図１１は、従来のＩＰｖ６ネットワークシステムの一例を示す図である。
【図１２】図１２は、図１１に示すＩＰｖ６ネットワークシステムにおいて、ＩＰｖ６ホスト５Ａ、５Ｂ１間の通信が正常に行えない場合を説明するためのシーケンス図である。
【符号の説明】
【０１２１】
１：有線／無線ネットワーク、２Ａ〜２Ｂ：有線ネットワーク、３：無線ＬＡＮアクセスポイント、４：無線ＬＡＮコンバータ、５Ａ、５Ｂ１〜５Ｂ３：ＩＰｖ６ホスト、６Ａ、６Ｂ１〜６Ｂ２：ＩＰｖ６ルータ、７Ａ、７Ｂ１〜７Ｂ３：ＬＡＮ、４１：ＷＬＡＮインターフェース部、４２：ＬＡＮインターフェース部、４３：アドレス記憶部、４４：上り中継部、４５：下り中継部、４６：ホストアドレス登録部、４７：ルータアドレス登録部、４８：リダイレクトアドレス登録部、４３１：ホストアドレス記憶部、４３２：ルータアドレス記憶部
【図１】
0005018490.tif 000002
【図２】
0005018490.tif 000003
【図３】
0005018490.tif 000004
【図４】
0005018490.tif 000005
【図５】
0005018490.tif 000006
【図６】
0005018490.tif 000007
【図７】
0005018490.tif 000008
【図８】
0005018490.tif 000009
【図９】
0005018490.tif 000010
【図１０】
0005018490.tif 000011
【図１１】
0005018490.tif 000012
【図１２】
0005018490.tif 000013